【手続補正書】
【提出日】平成15年12月18日(2003.12.18)
【手続補正１】
【補正対象書類名】明細書
【補正対象項目名】特許請求の範囲
【補正方法】変更
【補正の内容】
【特許請求の範囲】
【請求項１】
表面にトナー像が形成される像担持体と、
少なくとも２つのローラに張架され、前記像担持体の表面に形成されたトナー像が転写される中間転写ベルトと、
前記像担持体及び前記中間転写ベルト上から除去された廃棄トナーを収容する廃トナー収容部と、
少なくとも、前記像担持体、前記中間転写ベルト及び前記廃トナー収容部とを一体にし、装置本体に対して脱着可能に設けられたプロセスカートリッジと、
前記プロセスカートリッジが装置本体に装着された状態において、前記中間転写ベルトの張架部分は装置本体に対して傾斜配置されるとともに、前記中間転写ベルトとの下面側空間に前記廃トナー収容部を配設したことを特徴とする画像形成装置。
【請求項２】
少なくとも像担持体と中間転写ベルトと廃トナー収容部を搭載するプロセスカートリッジを装置本体に対して脱着可能に設けた画像形成装置において、
前記中間転写ベルトを上部ローラと下部ローラの２つのローラに張設して傾斜配置するとともに、
前記プロセスカートリッジ内で傾斜配置した前記中間転写ベルトの下面側空間に前記廃トナー収容部を配設したことを特徴とする画像形成装置。
【請求項３】
前記廃トナー収容部が前記像担持体から回収されたトナーを収容する収容部であることを特徴とする、請求項２に記載の画像形成装置。
【請求項４】
前記廃トナー収容部が前記中間転写ベルトから回収されたトナーを収容する収容部を兼ねることを特徴とする、請求項３に記載の画像形成装置。
【請求項５】
前記廃トナー収容部が前記プロセスカートリッジに対して脱着可能であることを特徴とする、請求項１〜４のいずれか１項に記載の画像形成装置。
【請求項６】
装置本体に対して脱着可能に設けられた現像装置を前記プロセスカートリッジの装置本体内部側に配置するとともに、
前記プロセスカートリッジが装置本体内で移動可能に設けられ、該プロセスカートリッジを作像位置から移動させると前記現像装置の脱着が可能になることを特徴とする、請求項１又は２に記載の画像形成装置。
【請求項７】
前記現像装置が前記プロセスカートリッジの高さの範囲内に配置されることを特徴とする、請求項６に記載の画像形成装置。
【請求項８】
前記像担持体が前記中間転写ベルトの傾斜面に接触して配置されることを特徴とする、請求項１又は２に記載の画像形成装置。
【請求項９】
表面にトナー像が形成される像担持体と、
少なくとも２つのローラに張架され、前記像担持体の表面に形成されたトナー像が転写される中間転写ベルトと、
前記像担持体または前記中間転写ベルト上から除去された廃棄トナーを収容する廃トナー収容部とを備え、
前記廃トナー収容部の少なくとも一部が前記中間転写ベルトの張架面に沿って形成されることを特徴とする画像形成装置。
【請求項１０】
表面にトナー像が形成される像担持体と、
少なくとも２つのローラに張架され、前記像担持体の表面に形成されたトナー像が転写される中間転写ベルトと、
前記像担持体または前記中間転写ベルト上から除去された廃棄トナーを収容する廃トナー収容部とを備え、
前記廃トナー収容部は、鉛直方向上方から見たとき、前記中間転写ベルトの張設幅内に配設されることを特徴とする画像形成装置。
【請求項１１】
画像形成装置本体に対して着脱可能に装着されるプロセスカートリッジにおいて、
表面にトナー像が形成される像担持体と、
少なくとも２つのローラに張架され、前記像担持体の表面に形成されたトナー像が転写される中間転写ベルトと、
前記像担持体及び前記中間転写ベルト上から除去された廃棄トナーを収容する廃トナー収容部とを備え、
前記プロセスカートリッジが装置本体に装着された状態において、前記中間転写ベルトの張架部分は装置本体に対して傾斜配置されるとともに、前記中間転写ベルトの下面側空間に前記廃トナー収容部を配設したことを特徴とするプロセスカートリッジ。
【請求項１２】
前記廃トナー収容部は、鉛直方向上方から見たとき、前記中間転写ベルトの張設幅内に配設されていることを特徴とする、請求項１１に記載のプロセスカートリッジ。
【請求項１３】
画像形成装置本体に対して着脱可能に装着されるプロセスカートリッジにおいて、
表面にトナー像が形成される像担持体と、
少なくとも２つのローラに張架され、前記像担持体の表面に形成されたトナー像が転写される中間転写ベルトと、
前記像担持体及び前記中間転写ベルト上から除去された廃棄トナーを収容する廃トナー収容部とを備え、
前記廃トナー収容部の少なくとも一部が前記中間転写ベルトの張架面に沿って形成されることを特徴とするプロセスカートリッジ。
【手続補正２】
【補正対象書類名】明細書
【補正対象項目名】００２０
【補正方法】変更
【補正の内容】
【００２０】
【課題を解決するための手段】
前記の課題は、本発明により、表面にトナー像が形成される像担持体と、少なくとも２つのローラに張架され、前記像担持体の表面に形成されたトナー像が転写される中間転写ベルトと、前記像担持体及び前記中間転写ベルト上から除去された廃棄トナーを収容する廃トナー収容部と、少なくとも、前記像担持体、前記中間転写ベルト及び前記廃トナー収容部とを一体にし、装置本体に対して脱着可能に設けられたプロセスカートリッジと、前記プロセスカートリッジが装置本体に装着された状態において、前記中間転写ベルトの張架部分は装置本体に対して傾斜配置されるとともに、前記中間転写ベルトとの下面側空間に前記廃トナー収容部を配設したことにより解決される。
また、前記の課題は、本発明により、少なくとも像担持体と中間転写ベルトと廃トナー収容部を搭載するプロセスカートリッジを装置本体に対して脱着可能に設けた画像形成装置において、前記中間転写ベルトを上部ローラと下部ローラの２つのローラに張設して傾斜配置するとともに、前記プロセスカートリッジ内で傾斜配置した前記中間転写ベルトの下面側空間に前記廃トナー収容部を配設したことにより解決される。


【手続補正３】
【補正対象書類名】明細書
【補正対象項目名】００２１
【補正方法】変更
【補正の内容】
【００２１】
また、前記廃トナー収容部が前記像担持体から回収されたトナーを収容する収容部であると好適である。
また、前記廃トナー収容部が前記中間転写ベルトから回収されたトナーを収容する収容部を兼ねると好適である。
また、前記廃トナー収容部が前記プロセスカートリッジに対して脱着可能であると好適である。


【手続補正４】
【補正対象書類名】明細書
【補正対象項目名】００２２
【補正方法】変更
【補正の内容】
【００２２】
また、装置本体に対して脱着可能に設けられた現像装置を前記プロセスカートリッジの装置本体内部側に配置するとともに、前記プロセスカートリッジが装置本体内で移動可能に設けられ、該プロセスカートリッジを作像位置から移動させると前記現像装置の脱着が可能になると好適である。
また、前記現像装置が前記プロセスカートリッジの高さの範囲内に配置されると好適である。
また、前記像担持体が前記中間転写ベルトの傾斜面に接触して配置されると好適である。


【手続補正５】
【補正対象書類名】明細書
【補正対象項目名】００２３
【補正方法】変更
【補正の内容】
【００２３】
また、前記の課題は、本発明により、表面にトナー像が形成される像担持体と、少なくとも２つのローラに張架され、前記像担持体の表面に形成されたトナー像が転写される中間転写ベルトと、前記像担持体または前記中間転写ベルト上から除去された廃棄トナーを収容する廃トナー収容部とを備え、前記廃トナー収容部の少なくとも一部が前記中間転写ベルトの張架面に沿って形成されることにより解決される。
また、前記の課題は、本発明により、表面にトナー像が形成される像担持体と、少なくとも２つのローラに張架され、前記像担持体の表面に形成されたトナー像が転写される中間転写ベルトと、前記像担持体または前記中間転写ベルト上から除去された廃棄トナーを収容する廃トナー収容部とを備え、前記廃トナー収容部は、鉛直方向上方から見たとき、前記中間転写ベルトの張設幅内に配設されることにより解決される。


【手続補正６】
【補正対象書類名】明細書
【補正対象項目名】００２４
【補正方法】変更
【補正の内容】
【００２４】
また、前記の課題は、本発明により、画像形成装置本体に対して着脱可能に装着されるプロセスカートリッジにおいて、表面にトナー像が形成される像担持体と、少なくとも２つのローラに張架され、前記像担持体の表面に形成されたトナー像が転写される中間転写ベルトと、前記像担持体及び前記中間転写ベルト上から除去された廃棄トナーを収容する廃トナー収容部とを備え、前記プロセスカートリッジが装置本体に装着された状態において、前記中間転写ベルトの張架部分は装置本体に対して傾斜配置されるとともに、前記中間転写ベルトの下面側空間に前記廃トナー収容部を配設したことにより解決される。
また、前記廃トナー収容部は、鉛直方向上方から見たとき、前記中間転写ベルトの張設幅内に配設されていると好適である。


【手続補正７】
【補正対象書類名】明細書
【補正対象項目名】００２５
【補正方法】変更
【補正の内容】
【００２５】
また、前記の課題は、本発明により、画像形成装置本体に対して着脱可能に装着されるプロセスカートリッジにおいて、表面にトナー像が形成される像担持体と、少なくとも２つのローラに張架され、前記像担持体の表面に形成されたトナー像が転写される中間転写ベルトと、前記像担持体及び前記中間転写ベルト上から除去された廃棄トナーを収容する廃トナー収容部とを備え、前記廃トナー収容部の少なくとも一部が前記中間転写ベルトの張架面に沿って形成されることにより解決される。


【手続補正８】
【補正対象書類名】明細書
【補正対象項目名】００７１
【補正方法】変更
【補正の内容】
【００７１】
【発明の効果】
傾斜配置された中間転写ベルトの下面側空間に廃トナー収容部を配設したことにより、プロセスカートリッジ内の空間を効率良く利用して廃トナー収容部を設けることができる。


【手続補正９】
【補正対象書類名】明細書
【補正対象項目名】００７２
【補正方法】変更
【補正の内容】
【００７２】
廃トナー収容部が像担持体から回収されたトナーを収容する収容部であることにより、像担持体から回収した廃トナーを収容することができる。


【手続補正１０】
【補正対象書類名】明細書
【補正対象項目名】００７３
【補正方法】変更
【補正の内容】
【００７３】
また、その廃トナー収容部が中間転写ベルトから回収されたトナーを収容する収容部を兼ねることにより、中間転写ベルトから回収した廃トナーを収容することもできる。


【手続補正１１】
【補正対象書類名】明細書
【補正対象項目名】００７４
【補正方法】変更
【補正の内容】
【００７４】
廃トナー収容部がプロセスカートリッジに対して脱着可能であるので、廃トナー収容部が一杯になったら（所定量以上の廃棄トナーが収容されたら）廃トナー収容部を交換することによりプロセスカートリッジを引き続き使用することができ、プロセスカートリッジの長寿命化を図ることができる。


【手続補正１２】
【補正対象書類名】明細書
【補正対象項目名】００７５
【補正方法】変更
【補正の内容】
【００７５】
プロセスカートリッジを作像位置から移動させると前記現像装置の脱着が可能になることにより、プロセスカートリッジを装置本体から取り外さなくとも現像装置の交換ができ、作業が容易になる。


【手続補正１３】
【補正対象書類名】明細書
【補正対象項目名】００７６
【補正方法】変更
【補正の内容】
【００７６】
中間転写ベルトの張設幅内（中間転写ベルトが張架された幅内）に廃トナー収容部を配設したことにより、画像形成装置内の空間を効率良く利用して廃トナー収容部を設けることができる。
また、中間転写ベルトの張架面に沿って廃トナー収容部（の少なくとも一部）を配設したことにより、画像形成装置内の空間を効率良く利用して廃トナー収容部を設けることができる。